(57)【要約】【課題】被吸引物を吸引する力を上げることができる分離装置と、この分離装置を備えた吸引装置とを提供する。【解決手段】分離装置（２）は、第１密閉容器（２１，２５）と、空気と共に吸引した被吸引物を第１密閉容器（２１，２５）に案内する第１配管（２２）と、第１密閉容器（２１，２５）内に流入した空気を第１密閉容器（２１，２５）外に排気する第２配管（２３）とを備える。第１配管（２２）の外周面が第２配管（２３）の内周面に対向するように、第１配管（２２）が第２配管（２３）内に配置されて、第１密閉容器（２１，２５）内に流入した空気が第１配管（２２）の外周面と第２配管（２３）の内周面との間の空間に吸引される。【選択図】図３
2020156871.tif 000002
【特許請求の範囲】
【請求項１】
第１密閉容器と、
空気と共に吸引した被吸引物を上記第１密閉容器に案内する第１配管と、
上記第１密閉容器内に流入した空気を上記第１密閉容器外に排気する第２配管と
を備え、
上記第１配管の外周面が上記第２配管の内周面に対向するように、上記第１配管が上記第２配管内に配置されて、上記第１密閉容器内に流入した上記空気が上記第１配管の外周面と上記第２配管の内周面との間の空間に吸引されることを特徴とする分離装置。
【請求項２】
請求項１に記載の分離装置において、
上記第１密閉容器内に配置されて、上記第１配管の外周面と上記第２配管の内周面との間の空間の入口に対向する閉鎖部材を備え、
上記閉鎖部材は、上記第１密閉容器内の上記被吸引物の貯留量の増加に応じて、上記第２配管側に移動して、上記入口を閉鎖することを特徴とする分離装置。
【請求項３】
請求項１または２に記載の分離装置において、
上記第２配管の下流側に配置された第２密閉容器を備え、
上記第１配管の外周面と上記第２配管の内周面との間の空間に吸引された空気は、上記第２密閉容器を介して排気されることを特徴とする分離装置。
【請求項４】
請求項３に記載の分離装置において、
上記第２密閉容器は、細菌およびウィルスを殺菌するための薬剤を収容することを特徴とする分離装置。
【請求項５】
吸引装置本体と、
請求項１から４までのいずれか一項に記載の分離装置と
を備え、
上記吸引装置本体は、上記分離装置よりも下流側に配置されていることを特徴とする吸引装置。
【発明の詳細な説明】
【技術分野】
【０００１】
本発明は、例えば吐瀉物等の吸引に使用される分離装置と、この分離装置を備えた吸引装置とに関する。
【背景技術】
【０００２】
従来、分離装置としては、容器と、容器に接続された吸引側配管と、容器に接続された排気側配管とを備えたものがある（例えば特許文献１を参照）。
【０００３】
上記構成の分離装置では、患者から吸引された体液などが、吸引側配管を介して、空気と一緒に容器内に吸引される。このとき、上記体液は、容器内に貯留される一方、体液と共に容器内に吸引された空気は、排気側配管を介して排気される。
【先行技術文献】
【特許文献】
【０００４】
【特許文献１】特開２０１４−１４７４３６号公報
【発明の概要】
【発明が解決しようとする課題】
【０００５】
上記従来の分離装置には、吸引側配管で吸引する空気の流速が遅いため、体液を吸引する力が弱いという問題あります。
【０００６】
そこで、本発明の課題は、被吸引物を吸引する力を上げることができる分離装置と、この分離装置を備えた吸引装置とを提供することにある。
【課題を解決するための手段】
【０００７】
本発明の一態様の分離装置は、
第１密閉容器と、
空気と共に吸引した被吸引物を上記第１密閉容器に案内する第１配管と、
上記第１密閉容器内に流入した空気を上記第１密閉容器外に排気する第２配管と
を備え、
上記第１配管の外周面が上記第２配管の内周面に対向するように、上記第１配管が上記第２配管内に配置されて、上記第１密閉容器内に流入した上記空気が上記第１配管の外周面と上記第２配管の内周面との間の空間に吸引される。
【０００８】
ここで、上記被吸引物は、空気以外の液体、固体などであり、例えば吐瀉物である。
【０００９】
上記構成によれば、上記第１配管が被吸引物を第１密閉容器に案内するので、被吸引物が第１密閉容器内に貯留される。このとき、上記第１配管から第１密閉容器に流入した空気は、第１配管の外周面と第２配管の内周面との間の空間に吸引される。
【００１０】
このように、上記第１配管の外周面と第２配管の内周面との間の空間が、空気流路となるので、この流路の断面積を小さくすることができる。したがって、上記空気の流速を上げることができる。その結果、上記第１配管から第１密閉容器内へ向かう空気の速度も上がって、被吸引物を吸引する力を上げることができる。
【００１１】
一態様の分離装置は、
上記第１密閉容器内に配置されて、上記第１配管の外周面と上記第２配管の内周面との間の空間の入口に対向する閉鎖部材を備え、
上記閉鎖部材は、上記第１密閉容器内の上記被吸引物の貯留量の増加に応じて、上記入口を閉鎖する。
【００１２】
上記実施形態によれば、上記閉鎖部材は、第１密閉容器内の被吸引物の貯留量の増加に応じて、第１配管の外周面と上記第２配管の内周面との間の空間の入口を閉鎖するので、その空間に被吸引物が吸引されるのを防ぐことができる。
【００１３】
一態様の分離装置は、
上記第２配管の下流側に配置された第２密閉容器を備え、
上記第１配管の外周面と上記第２配管の内周面との間の空間に吸引された空気は、上記第２密閉容器を介して排気される。
【００１４】
上記実施形態によれば、仮に、上記空気と共に被吸引物が第１配管の外周面と第２配管の内周面との間の空間に吸引されたとしても、その空気は第２密閉容器を介して排気されるので、被吸引物を第２密閉容器で捕獲することができる。
【００１５】
一態様の分離装置は、
上記第２密閉容器は、細菌およびウィルスを殺菌するための薬剤を収容する。
【００１６】
上記実施形態によれば、上記薬剤が第２密閉容器内にあることより、細菌またはウィルスが第１密閉容器内から空気と共に流出したとしても、細菌またはウィルスを第２密閉容器内で殺菌することができる。したがって、上記第２密閉容器の排気の衛生状態を良好に保つことができる。
【００１７】
本発明の一態様の吸引装置は、
吸引装置本体と、
上述した複数の分離装置のうちのいずれか一つの分離装置と
を備え、
上記吸引装置本体は、上記分離装置よりも下流側に配置されている。
【００１８】
上記構成によれば、上記分離装置の下流側に吸引装置本体を配置するので、被吸引物が吸引装置本体に向かうのを防ぐことができる。したがって、上記吸引装置本体が被吸引物の吸引で故障する可能性を下げることができる。
【発明の効果】
【００１９】
本発明の分離装置は、第１配管の外周面が上記第２配管の内周面に対向するように、上記第１配管が上記第２配管内に配置されて、上記第１密閉容器内に流入した空気が上記第１配管の外周面と上記第２配管の内周面との間の空間に吸引されるので、被吸引物を吸引する力を上げることができる。
【図面の簡単な説明】
【００２０】
【図１】本発明の第１実施形態の吸引装置の構成の模式図である。
【図２】上記吸引装置の分離装置の概略正面図である。
【図３】上記分離装置の概略縦断面図である。
【図４】本発明の第２実施形態の吸引装置の要部の模式断面図である。
【図５】上記吸引装置の要部の他の状態の模式断面図である。
【図６】上記吸引装置の変形例の要部の模式断面図である。
【発明を実施するための形態】
【００２１】
以下、本発明の分離装置を図示の実施の形態により詳細に説明する。
【００２２】
〔第１実施形態〕
図１は、本発明の第１実施形態の吸引装置の構成を示す模式図である。なお、図１では、分離装置２を四角のブロックで示している。
【００２３】
上記吸引装置は、吸引装置本体１、分離装置２および吸引ノズル３を備え、吐瀉物１００を吸引する。この吐瀉物１００の吸引時、吸引ノズル３で吸引された空気が、分離装置２を通過した後、吸引装置本体１に流入する。なお、吐瀉物１００は、被吸引物の一例である。
【００２４】
吸引装置本体１は、分離装置２の下流側に配置され、吸込口１１を有する。この吸引装置本体１は、バッテリ１２を搭載していることにより、電源コードを気にすることなく、把手１３を掴んで持ち運び可能となっている。また、吸引装置本体１は、バッテリ１２から電力供給を受けるモータ１４と、このモータ１４によって回転駆動されるファン１５とを収容している。このファン１５の回転駆動により、吸引力が発生する。また、吸引装置本体１としては、例えば、２．０ｋｇ〜３．０ｋｇの小型集塵機が使用可能である。
【００２５】
分離装置２は、空気と吐瀉物１００とを分離する。より詳しく説明すると、分離装置２は、吸引ノズル３側から空気と共に流れてくる吐瀉物１００を回収して、吐瀉物１００が吸引装置本体１側に流れるのを防ぐ働きをする。また、分離装置２は、吸引装置本体１の吸込口１１に接続されて、吸引装置本体１と一体となる。これにより、吸引装置本体１と共に分離装置２を持ち運びすることが可能である。また、分離装置２の重量は、例えば１．０ｋｇ〜２．０ｋｇの範囲内に収まっている。
【００２６】
吸引ノズル３は、自由自在に曲げることが可能な樹脂製の延長ホース４を介して、分離装置２に接続されている。
【００２７】
図２は、分離装置２を正面側から見たときの概略図である。図３は、分離装置２を鉛直面で切ったときの断面を示す概略図である。
【００２８】
分離装置２は、図２，図３に示すように、第１容器２１と、例えば直管形状の第１配管２２と、例えばＴ字管形状の第２配管２３と、第１容器２１よりも小容量の第２容器２４とを備えている。
【００２９】
第１容器２１は、第１配管２２からの吐瀉物１００を貯留する容器本体部２１ａと、容器本体部２１ａの上部に設けられた口部２１ｂとを有する。容器本体部２１ａの側部は円筒形状に形成されている。また、口部２１ｂの外周面には、第１蓋部２５の内周面のネジに螺合可能なネジが設けられている。なお、第１容器２１および第１蓋部２５が、第１密閉容器の一例である。
【００３０】
第１蓋部２５は、第１容器２１の口部２１ｂの開口を塞ぐ。この第１蓋部２５は第２配管２３の外周面に固定されている。これにより、第１蓋部２５の内周面のネジに口部２１ｂの外周面のネジを螺合させると、第１容器２１が第２配管２３と一体化する。また、上記第１蓋部２５の内周面のネジと口部２１ｂの外周面のネジとの螺合を解除すると、第１容器２１は、第２配管２３から取り外せる。すなわち、第２蓋部２８および口部２１ｂによって、第２配管２３に対して第１容器２１が着脱可能となっている。
【００３１】
第１配管２２は、空気と共に吸引した吐瀉物１００を第１容器２１に案内する。また、第１配管２２の外周面が第２配管２３の内周面に対向するように、第１配管２２第２配管２３内に配置されている。すなわち、第１配管２２は、第２配管２３に挿通されている。これにより、第１配管２２の一端部２２ａが第１容器２１内に位置する一方、第１配管２２の他端部２２ｂが第１容器２１外に位置する。
【００３２】
また、延長ホース４の一端部４ａは、第１配管２２の他端部２２ｂに接続される。一方、延長ホース４の他端部４ｂには、吸引ノズル３が接続される。
【００３３】
第２配管２３は、第１容器２１内に流入した空気を第１容器２１外に排気する。この第２配管２３は、第１端部２３ａと、第２端部２３ｂと、第１端部２３ａ側からの空気を排気する部分となる第３端部２３ｃとを有する。この第２配管２３の各部の内径は、例えば、吸引装置本体１の吸込口１１（図１に示す）の径と略同じにしている。また、第１端部２３ａから第２端部２３ｂまでの部分の内径は、第１配管２２の外径よりも大きくしている。また、上記部分の中心軸は、第１配管２２と略一致する。すなわち、第１配管は、上記部分に対して同心状に配置されている。
【００３４】
第１端部２３ａは、第１容器２１の口部２１ｂに挿通されている。第１端部２３ａの外径は、第１容器２１の口部２１ｂの内径よりも若干小さくしている。また、第１端部２３ａからは第１配管２２の一端部２２ａが容器本体部２１ａの底部側に向かって突出している。第１容器２１内に流入した空気は、第１配管２２の外周面と第２配管２３の内周面との間の空間に吸引されて、第２容器２４側に向かって流れる。このとき、上記空気は、メッシュフィルタ２６を通過してから、第２配管２３内に入る。
【００３５】
メッシュフィルタ２６は、円環形状に形成されて、第１配管２２の外周面と第２配管２３の内周面との間の空間の入口（第１容器２１の内部空間に面する円環形状の開口）を覆うように、第２配管２３の第１端部２３ａに取り付けられている。これにより、所定の大きさ以上の固形物は、第１配管２２の外周面と第２配管２３の内周面との間の空間に進入できないようにしている。
【００３６】
第２端部２３ｂは、第１容器２１外に位置する。この第２端部２３ｂからは第１配管２２の他端部２２ｂが容器本体部２１ａ側とは反対側に向かって突出している。また、第２端部２３ｂの開口は、閉鎖部材２７で閉鎖されている。これにより、第１端部２３ａ側から第２配管２３内に流入した空気が、第２端部２３ｂの開口を通って流出しないようにしている。
【００３７】
第３端部２３ｃは、第１端部２３ａから第２端部２３ｂまでの部分が延びる方向と略直交する方向に延びている。
【００３８】
第２容器２４は、第２配管２３の下流側に配置されている。この第２容器２４は、第１容器２１と同様に、容器本体部２４ａおよび口部２４ｂを有する。また、第１容器２１と同様に、第２蓋部２８および口部２４ｂによって、第３配管４０に対する第２容器２４の着脱が可能となっている。また、第２容器２４は、細菌およびウィルスを殺菌するための薬剤（例えば次亜塩素酸ナトリウム）を収容している。なお、第２容器２４および第２蓋部２８は、第２密閉容器の一例である。
【００３９】
また、上記吸引装置では、第１配管２２の外周面と第２配管２３の内周面との間の空間に流入した空気は、第２容器２４を介して排気される。より詳しく説明すると、上記空気は、第１連結管３０と、第３配管４０の一部とを順次流れた後、第２容器２４内に入って、第３配管４０の残りの部分と、第２連結管５０とを順次流れる。
【００４０】
第１連結管３０の一端部３０ａは、第２配管２３の第３端部２３ｃに接続されている。一方、第１連結管３０の他端部３０ｂは、後述する第１部分４１の他端部４１ｂに接続されている。この第１連結管３０により、第２配管２３の第３端部２３ｃ内の空間が、第１部分４１の他端部４１ｂ内の空間に連通している。
【００４１】
第３配管４０は、第１部分４１と、この第１部分４１よりも下流側に配置された第２部分４２と、隔壁部４３とを有する。
【００４２】
第１部分４１は、一端部４１ａと、この一端部４１ａよりも上流側に配置された他端部４１ｂとを有する。第１部分４１の一端部４１ａは、第２容器２４内に位置する。一方、第１部分４１の他端部４１ｂは、第２容器２４外に位置する。また、第１部分４１と隔壁部４３とが、第３配管４０の上流側の空気流路を画定する。この空気流路では、第１容器２１側からの空気が第２容器２４内に向かって流れる。
【００４３】
第２部分４２は、一端部４２ａと、この一端部４２ａよりも下流側に配置された他端部４２ｂとを有する。第２部分４２ｂの一端部４２ａは、第２容器２４内に位置する。一方、第２部分４２ｂの他端部４２ｂは、第２容器２４外に位置する。また、第２部分４２と隔壁部４３とが、第３配管４０の下流側の空気流路を画定する。この空気流路では、第２容器２４側からの空気が吸引装置本体１（図１に示す）に向かって流れる。
【００４４】
また、第２部分４２の一端部４２ａと容器本体部２４ａの底部との間の距離は、第１部分４１の一端部４１ａと容器本体部２４ａの底部との間の距離より長い。すなわち、第２部分４２の一端部４２ａは、第１部分４１の一端部４１ａよりも、容器本体部２４ａの底部から離されている。
【００４５】
隔壁部４３は、第３配管４０の上流側の空気流路と、第３配管４０の下流側の空気流路とを仕切る。この隔壁部４３は、第２容器２４の中心軸に沿うように配置される。
【００４６】
第２連結管５０の一端部５０ａは、第３配管４０の第２部分４２の他端部４２ｂに接続されている。一方、第２連結管５０の他端部５０ｂは、吸引装置本体１の吸込口１１に接続されている。
【００４７】
上記構成の吸引装置では、吐瀉物１００は吸引ノズル３から分離装置２に空気と共に送られる。このとき、第１配管２２が吐瀉物１００を第１容器２１に案内するので、吐瀉物１００が第１容器２１内に貯留される。
【００４８】
また、第１配管２２は吐瀉物１００と共に空気も第１容器２１に案内するので、この空気が第１容器２１に流入する。その後、第１容器２１に流入した空気は、第１配管２２の外周面と第２配管２３の内周面との間の空間に吸引される。
【００４９】
このように、第１配管２２の外周面と第２配管２３の内周面とが、空気流路を形成するので、この流路の断面積が小さくなる。したがって、上記空気の流速を上げることができる。その結果、第１配管２２から第１容器２１内へ向かう空気の速度も上がって、吐瀉物１００を吸引する力を上げることができる。
【００５０】
また、仮に、上記空気と共に吐瀉物１００が第１配管２２の外周面と第２配管２３の内周面との間の空間に吸引されたとしても、その空気は第２容器２４を介して排気されるので、吐瀉物１００を第２容器２４で捕獲することができる。
【００５１】
また、第２容器２４内には、細菌およびウィルスを殺菌するための薬剤が入っている。したがって、上記細菌またはウィルスが第１容器２１内から空気と共に流出したとしても、細菌またはウィルスを第２容器２４内で殺菌することができる。その結果、第２容器２４の排気の衛生状態を良好に保つことができる。
【００５２】
また、分離装置２の下流側に吸引装置本体１を配置するので、吐瀉物１００が吸引装置本体１に向かうのを防ぐことができる。しがって、吸引装置本体１が吐瀉物１００の吸引で故障する可能性を下げることができる。
【００５３】
上記第１実施形態では、吸引装置本体１は、コードレスタイプであったが、非コードレスタイプにしてもよい。
【００５４】
上記第１実施形態において、吸引ノズル３は、吐瀉物１００に向けて例えば水を噴射する機能を有してもよい。このようにした場合、吐瀉物１００の乾燥が進んでいるとき、吐瀉物１００を水で軟化させて、吐瀉物１００を容易に吸引することができる。
【００５５】
上記第１実施形態では、第２容器２４の容量は、第１容器２１の容量よりも小さかったが、第１容器２１の容量と同じにしてもよいし、第１容器２１の容量よりも大きくしてもよい。
【００５６】
上記第１実施形態では、第３配管４０において、第１部分４１の一端部４１ａの開口が、第２容器２４における容器本体部２４ａの底部の内面に対向していたが、第２容器２４における容器本体部２４ａの側部の内周面に対向するようにしてもよい。このようにした場合、第１部分４１の一端部４１ａから容器本体部２４ａ内に流入した空気を容器本体部２４ａの側部の内周面に沿って流すことができる。その結果、上記空気の螺旋流が容器本体部２４ａ内で起きるので、上記空気が容器本体部２４ａ内の薬剤を撹拌する。したがって、上記空気と共に細菌またはウィルスが容器本体部２４ａ内に流入しても、その細菌またはウィルスを十分に殺菌することができる。
【００５７】
上記第１実施形態では、第１容器２１、第１配管２２、第２配管２３、第１容器２１、第２容器２４、第１蓋部２５、メッシュフィルタ２６、閉鎖部材２７、第２蓋部２８、第１連結管３０および第３配管４０は、樹脂で形成されていたが、少なくとも一つが他の材料（例えば金属）で形成されてもよい。このようにする場合、第１，第２容器２１，２２を紙で形成すれば、第１，第２容器２１，２２が焼却し易くなる。すなわち、第１，第２容器２１，２２を簡単に処分することができる。
【００５８】
上記第１実施形態では、吸引装置本体１と分離装置２との間に、フィルタを設けていなかったが、例えば、通気性および吸水性を有するフィルタを設けてもよい。このようにすると、仮に、分離装置２から吸引装置本体１に液体が流れたとしても、その液体をフィルタで吸収することができる。
【００５９】
上記第１実施形態では、吸引装置本体１は、脱臭フィルタを搭載していなかったが、脱臭フィルタを搭載して、吸引装置本体１の排気の臭気を脱臭フィルタで低減してもよい。
【００６０】
〔第２実施形態〕
図４は、本発明の第２実施形態の吸引装置の要部の断面を示す模式図である。なお、図４において、および、以下の説明において、上記第１実施形態の構成部と同一の構成部は、図２，図３の構成部の参照番号と同一の参照番号を付している。
【００６１】
上記第２実施形態の吸引装置は、閉鎖部材２６０を備えている点だけが、上記第１実施形態他の吸引装置とは異なる。また、上記第２実施形態の吸引装置では、閉鎖部材２６０の搭載に伴い、図２，図３の第１配管２２に替えて、第１配管２２２を搭載している。なお、第２配管２３の第１端部２３ａには、メッシュフィルタ２６が取り付けていない。
【００６２】
閉鎖部材２６０は、円筒形状の基部２６１、円環形状のフランジ部２６２と、拡径部２６３とを有し、例えばゴム材料で形成されている。この閉鎖部材２６０は、第１容器２１内に配置されて、第１配管２２２の外周面と第２配管２３の内周面との間の空間の入口に対向する。また、閉鎖部材２６０は、第１容器２１内の吐瀉物１００の貯留量の増加に応じて、上記入口を閉鎖する。
【００６３】
基部２６１は、遊びを持った状態で第１配管２２２の一端部２２２ａに外嵌されて、第１配管２２２の軸方向に移動可能になっている。また、基部２６１は、第１配管２２２の一端部２２２ａに設けられたフランジ部２２２ｃで支持されている。
【００６４】
フランジ部２６２は、基部２６１の第２配管２３側の端部に設けられ、第１配管２２２の径方向に張り出している。このフランジ部２６２の外径は、第２配管２３の内径よりも大きくなっている。
【００６５】
拡径部２６３は、基部２６１の第２配管２３側とは反対側の端部に設けられている。この拡径部２６３は、第２配管２３から離れるにしたがって大きくなるように形成されている。これにより、拡径部２６３の内周面および外周面は、それぞれ、円錐台面を呈する。
【００６６】
上記構成の第２実施形態の吸引装置では、吐瀉物１００の吸引が開始すると、吐瀉物１００が空気と共に矢印Ａ１の方向に流れて、第１容器２１内に貯留される。このとき、上記空気は、容器本体部２１ａの底部に向かって流れた後、Ｕターンして、矢印Ａ２，Ａ３に沿うように流れて、第１配管２２２の外周面と第２配管２３の内周面との間の空間に吸引される。
【００６７】
このように、吐瀉物１００が第１容器２１内に貯留されるとき、第１容器２１内で跳ね上がった吐瀉物１００が、第１配管２２２の外周面と第２配管２３の内周面との間の空間の入口に近づくのを拡径部２６３で防ぐことができる。
【００６８】
また、吐瀉物１００の貯留量が増えると、吐瀉物１００が閉鎖部材２６０の拡径部２６３に当たる。そして、吐瀉物１００の貯留量がさら増えると、吐瀉物１００が閉鎖部材２６０を第２配管２３側に押す。その結果、閉鎖部材２６０が第２配管２３側に移動して、図５に示すように、第１配管２２２の外周面と第２配管２３の内周面との間の空間の入口を閉鎖する。したがって、吐瀉物１００が上記空間に吸引されるのを防ぐことができる。
【００６９】
上記第２実施形態では、閉鎖部材２６０は、例えばゴム材料で形成されていたが、ゴム材料よりも軽量な材料（例えば発泡材料）で形成されるようにしてもよい。
【００７０】
また、閉鎖部材２６０に替えて、図６に示す円筒形状の閉鎖部材２７０を用いてもよい。この閉鎖部材２７０も、例えばゴム材料で形成されていたが、他の材料で形成されてもよい。また、閉鎖部材２７０は、フロートのような形状（中空形状）にしてもよい。
【００７１】
本発明の具体的な実施形態について説明したが、この発明は上記実施形態に限定されるものではなく、本発明の範囲内で種々変更して実施することができる。例えば、上記第１実施形態の変形と上記第２実施形態とを組み合わせたものを、本発明の一実施形態としてもよい。
【符号の説明】
【００７２】
１  吸引装置本体
２  分離装置
３  吸引ノズル
２１  第１容器
２２  第１配管
２３  第２配管
２４  第２容器
２５  第１蓋部
２８  第２蓋部
３０  第１連結管
４０  第３配管
５０  第２連結管
１００  吐瀉物
２６０，２７０  閉鎖部材
【図１】
2020156871.tif 000003
【図２】
2020156871.tif 000004
【図３】
2020156871.tif 000005
【図４】
2020156871.tif 000006
【図５】
2020156871.tif 000007
【図６】
2020156871.tif 000008